(57)【要約】【課題】比較的小型の太陽電池により発電された電力だけで駆動する構成であっても、動的に変化し得る情報を提供可能な停留所の情報表示装置を提供する。【解決手段】ＭＰＵ２１およびメモリ２２により情報処理される所定の情報のうち、表示内容が所定の頻度を超えて変更される情報として、例えば、バスの接近情報をＬＥＤ表示器２５により提供し、所定の情報のうち所定の頻度以下で変更される情報として、バスの行先案内、系統名、路線案内や経由停留所案内等を電子ペーパー２６や磁気反転表示器２７により提供する。これにより、変更の頻度が低いバスの行先案内、系統名、路線案内や経由停留所案内等の各情報は、電子ペーパー２６や磁気反転表示器２７により表示されるため、これらの情報を発光ダイオードを用いたＬＥＤ表示器２５で表示する構成に比べて、駆動電力の消費を格段に低減させることが可能となる。【選択図】図３
2014010533.tif 000002
【特許請求の範囲】
【請求項１】
乗合車両の停留所に設置され、太陽電池とこの太陽電池により発電された電力を蓄える蓄電池とを備え、この蓄電池から供給される電力により、無線通信で受信する情報を当該停留所の待合客に視認可能に表示する停留所の情報表示装置であって、
データを受信する無線通信部と、
前記無線通信部により受信されたデータに基づいて所定の情報を表示可能に情報処理をする情報処理部と、
前記情報処理部により情報処理される所定の情報のうち、表示内容が所定の頻度を超えて変更される情報を発光ダイオードを用いて表示するＬＥＤ表示部と、
前記所定の情報のうち前記所定の頻度以下で変更される情報を、発光ダイオードよりも固定表示時の消費電力が少ない表示素子で表示する非ＬＥＤ表示部と、
を備えることを特徴とする停留所の情報表示装置。
【請求項２】
前記非ＬＥＤ表示部は、表示態様を変更する期間内は駆動電力を消費し、変更後は駆動電力を消費しないまたはほぼ消費しない表示素子で構成されることを特徴とする請求項１に記載の停留所の情報表示装置。
【請求項３】
前記所定の頻度以下で変更される情報は、当該情報表示装置の稼動状況、または前記乗合車両の行先案内、路線案内もしくは経由停留所案内であることを特徴とする請求項１または２に記載の停留所の情報表示装置。
【発明の詳細な説明】
【技術分野】
【０００１】
本発明は、乗合車両の停留所に設置される停留所の情報表示装置に関するものである。
【背景技術】
【０００２】
乗合車両の停留所に設置される停留所の情報表示装置には、太陽電池を備えてこの太陽電池により発電された電力だけで駆動して待合客に情報を提供するものがある。例えば、特許文献１に開示される「バスロケーションシステム」では、停留所に設置された停留所ポストに、発信器からの無線信号を受信する受信器と、バスの通過予定時刻等を表示する表示器と、この表示器を受信器の出力を基に制御する制御器とを備え、受信器が車両コードを含む無線信号を受信した場合には表示器の表示を点滅させてバスの接近情報を待合客に知らせる。
【０００３】
この「バスロケーションシステム」では、受信器、表示器および制御器といった数々のハードウェアが駆動電力を必要とするうえ、表示器には、液晶ディスプレイやＬＥＤマトリクスディスプレイを用いており、これらは常時点灯されている。その一方で、ソーラパネル（太陽電池）は、停留所ポストの本体上面に取り付けられる比較的小型のもので受光面積が限られている。したがって、一般的には、このような受光面積が狭いソーラパネルの発電だけでは、表示器を含めてこれらすべてのハードウェアの駆動電力を賄うことは難しい。
【０００４】
このため、実際には、例えば、特許文献２に開示される「太陽電池を具備するバス停留所」のように、バス停留所の近くの建物やバス停留所の屋根などに、受光面積の広い大型の太陽電池を設置して十分な発電容量を確保可能な構成を採ったり、あるいは案内情報が印刷された透光プレートを内側から外部に向けて照らす照明装置だけに駆動電力を消費するハードウェアを絞って電力消費を低減した構成が採用される。
【先行技術文献】
【特許文献】
【０００５】
【特許文献１】特開平１１−００３４９５号公報
【特許文献２】特開２００１−１４３１９６号公報
【発明の概要】
【発明が解決しようとする課題】
【０００６】
しかしながら、特許文献２に開示される「太陽電池を具備するバス停留所」によると、十分な受光面積を確保する必要から太陽電池が大型なものにならざるを得ない。そのため、特許文献２の構成は、特許文献１のソーラパネルに比べて設備や設置に関わるコストが桁違いに大きなものになってしまうという問題がある。一方、内側から照らされる透光プレートでは、一般にはそれに表示される情報が印刷物になるため情報が固定化されてしまう。そのため、この構成では、例えば、時々刻々と変化する情報をリアルタイムに提供することはできない。
【０００７】
本発明は、上述した課題を解決するためになされたもので、比較的小型の太陽電池により発電された電力だけで駆動する構成であっても、動的に変化し得る情報を提供可能な停留所の情報表示装置を提案することを目的とする。
【課題を解決するための手段】
【０００８】
上記目的を達成するため、特許請求の範囲の請求項１に記載された停留所の情報表示装置は、乗合車両の停留所に設置され、太陽電池とこの太陽電池により発電された電力を蓄える蓄電池とを備え、この蓄電池から供給される電力により、無線通信で受信する情報を当該停留所の待合客に視認可能に表示する停留所の情報表示装置であって、データを受信する無線通信部と、前記無線通信部により受信されたデータに基づいて所定の情報を表示可能に情報処理をする情報処理部と、前記情報処理部により情報処理される所定の情報のうち、表示内容が所定の頻度を超えて変更される情報を発光ダイオードを用いて表示するＬＥＤ表示部と、前記所定の情報のうち前記所定の頻度以下で変更される情報を、発光ダイオードよりも固定表示時の消費電力が少ない表示素子で表示する非ＬＥＤ表示部と、を備えることを特徴とする。
【０００９】
また、特許請求の範囲の請求項２に記載された停留所の情報表示装置は、請求項１に記載された停留所の情報表示装置において、前記非ＬＥＤ表示部は、表示態様を変更する期間内は駆動電力を消費し、変更後は駆動電力を消費しないまたはほぼ消費しない表示素子で構成されることを特徴とする。
【００１０】
さらに、特許請求の範囲の請求項３に記載された停留所の情報表示装置は、請求項１または２に記載された停留所の情報表示装置において、前記所定の頻度以下で変更される情報は、当該情報表示装置の稼動状況、または前記乗合車両の行先案内、路線案内もしくは経由停留所案内であることを特徴とする。
【発明の効果】
【００１１】
本発明では、情報処理部により情報処理される所定の情報のうち、表示内容が所定の頻度を超えて変更される情報を発光ダイオードを用いて表示するＬＥＤ表示部により提供し、所定の情報のうち所定の頻度以下で変更される情報を発光ダイオードよりも固定表示時の消費電力が少ない表示素子で表示する非ＬＥＤ表示部により提供する。そして、例えば、非ＬＥＤ表示部は、表示態様を変更する期間内は駆動電力を消費し、変更後は駆動電力を消費しないまたはほぼ消費しない表示素子で構成される。また、例えば、所定の頻度以下で変更される情報は、当該情報表示装置の稼動状況、または乗合車両の行先案内、路線案内もしくは経由停留所案内である。
【００１２】
これにより、変更の頻度が低い情報は、専ら非ＬＥＤ表示部により表示されて待合客に提供されるので、これらの情報を発光ダイオードを用いたＬＥＤ表示部で表示する構成に比べて、駆動電力の消費を各段に低減させることが可能となる。特に、非ＬＥＤ表示部を、表示態様の変更後は駆動電力を消費しないまたはほぼ消費しない表示素子で構成する場合には、その効果が極め大きい。したがって、比較的小型の太陽電池により発電された電力だけで駆動する構成であっても、動的に変化し得る情報を提供することができる。
【図面の簡単な説明】
【００１３】
【図１】本実施形態に係る接近表示装置の外観構成を示す正面図である。
【図２】本実施形態に係る接近表示装置の外観構成を示す側面図である。
【図３】本実施形態に係る接近表示装置の電気的な構成例を示すブロック図である。
【図４】本実施形態に係る接近表示装置による表示例を示す説明図である。
【発明を実施するための形態】
【００１４】
以下、本発明の停留所の情報表示装置を、路線バス（乗合車両の一例であり、以下、単に「バス」という）の停留所に設置される接近表示装置に適用した一実施形態を各図に基づいて説明する。まず、接近表示装置１０の外観構成について図１および図２を参照して説明する。図１，２には、接近表示装置１０の外観構成を示す正面図や側面図が、それぞれ図示されている。
【００１５】
図１，２に示すように、接近表示装置１０は、主に、正面が幅広で側面が狭い、例えば、短冊形状を成す長細の薄箱形状に形成された本体１１と、この本体１１の上部に取り付けられるソーラーパネル１２とから構成されており、支柱１９を介して地面等の設置面Ｇに縦長状態で自立可能に構成されている。
【００１６】
本体１１は、設置状態において、上方から下方に向けて、案内情報パネル１３、広告情報パネル１５、機器収納部１７の順番に構成されており、案内情報パネル１３および広告情報パネル１５については、当該停留所（以下「当バス停」）でバスの到着を待つ待合客に所定情報を提供可能に構成されている。
【００１７】
案内情報パネル１３は、その最上段に当バス停の名称を明示する表示範囲が設けられている。例えば、本実施形態では、図１から、当バス停が「○○○団地」という名称であることがわかる。このバス停の名称表示は印刷やペイントによるものである。この名称の下段には、接近表示装置１０の稼動状況を明示する表示範囲、さらにその下には、バスの接近情報を明示する表示範囲が各系統ごとに複数設けられている。これらの表示には、ＬＥＤ表示器２５、電子ペーパー２６や磁気反転表示器２７が用いられており、案内情報パネル１３の内側（本体１１の上方内部）に収納される表示ユニット２０によって表示制御が行われている。なお、表示ユニット２０や表示制御等については、図４を参照して後述する。
【００１８】
広告情報パネル１５は、案内情報パネル１３では表示されない情報、例えば、時刻表や路線図等や、商業目的の宣伝広告に関する情報を待合客に案内するもので、これらの案内情報は、例えば、印刷やペイントされたプレートによって表示されている。なお、本実施形態では、広告情報パネル１５にはＬＥＤ等の照明装置を設けていない。これにより、電力消費量を低減して省電力化を図っている。
【００１９】
機器収納部１７は、本体１１の最下部に位置しており、その内部空間に、例えば、充電制御ユニット１４やバッテリ１６を収容可能に構成している。また、機器収納部１７には、ひさし付きの通風用スリットが複数箇所に設けられており、外部空間との通気を可能にしている。
【００２０】
ソーラーパネル１２は、太陽光等の光を電気エネルギーに変換する太陽電池で、本実施形態では、接近表示装置１０の設置状態において、本体１１の上面に支柱１８を介して固定可能に設けられている。ソーラーパネル１２の発電容量は、例えば、２０Ｗ／ｈに設定されている。なお、ソーラーパネル１２から突出する５本の棒形状のものは、無線通信モジュール２８に接続される無線通信用のアンテナ２９である。
【００２１】
充電制御ユニット１４は、ソーラーパネル１２が発電した電力をバッテリ１６に対して効率的に充電をし得るように制御する制御装置である。バッテリ１６は、ソーラーパネル１２により発電された電力を蓄える蓄電池（二次電池）で、例えば、公称電圧１２Ｖ、定格容量３０Ａｈの鉛蓄電池が用いられる。
【００２２】
次に、図３および図４を参照して、接近表示装置１０の電気的な構成等を説明する。なお、図３には、接近表示装置１０の電気的な構成例を示すブロック図が図示されている。また、図４には、接近表示装置１０による表示例を示す説明図が図示されている。
【００２３】
図３に示すように、接近表示装置１０は、電気的に、ソーラーパネル１２、充電制御ユニット１４およびバッテリ１６により構成される電源系と、ＬＥＤ表示器２５、電子ペーパー２６および磁気反転表示器２７を含む表示ユニット２０と、により構成されている。本実施形態では、例えば、ソーラーパネル１２により発電された電力を充電制御ユニット１４を介して、バッテリ１６に蓄電した後、バッテリ１６から表示ユニット２０に供給可能に構成されている。
【００２４】
表示ユニット２０は、ＭＰＵ２１を中心に、メモリ２２、入出力インタフェース２４、ＬＥＤ表示器２５、電子ペーパー２６、磁気反転表示器２７および無線通信モジュール２８等により構成されている。ＭＰＵ２１は、システムバスを介してメモリ２２やＬＥＤ表示器２５、電子ペーパー２６、磁気反転表示器２７および無線通信モジュール２８等に接続され、メモリ２２とともに情報処理部を構成するものである。メモリ２２は、ＲＡＭ、ＲＯＭ、ＥＥＰＲＯＭ等で、ＭＰＵ２１を制御するシステムプログラムのほかに、後述する表示制御処理を可能にするプログラムが格納されている。ＭＰＵ２１はこれらをメモリ２２から読み出して逐次実行している。なお、図略の電圧センサ等によりバッテリ１６から供給される駆動電力の状態をＭＰＵ２１により監視可能にも構成されている。
【００２５】
ＬＥＤ表示器２５は、高輝度低消費電力型の複数の発光ダイオードにより構成されるＬＥＤ表示部で、本実施形態では、図４に示すように、例えば、４箇所に設けられる三角印２５ａ、２５ｂ、２５ｃ、２５ｄを、それぞれ個別に点灯し得るように構成されている。これら三角印２５ａ〜２５ｄは、点灯または消灯状態によってバスの接近情報を表す。
【００２６】
図４の例では、三角印２５ａの点灯により、当バス停よりも２つ前のバス停と３つ前のバス停との間をバスが走行していることを示す。同様に、三角印２５ｂの点灯は、当バス停よりも１つ前のバス停と２つ前のバス停との間を、また三角印２５ｃの点灯は、当バス停と１つ前のバス停との間を、それぞれバスが走行していることを示す。なお、少し前に到着したバスが既に当バス停を出発した旨は、三角印２５ｄの点灯によって示される。
【００２７】
この例では、「○○○車庫  行」（町３５系統、町６１系統）において、三角印２５ｂが点灯して、他の三角印２５ａ、２５ｃ、２５ｄが消灯している。これにより、○○○車庫行きのバスは、現在、当バス停と１つ前のバス停との間を走行しており、しばらくすると当バス停に到着する予定であることを待合客に案内している。
【００２８】
なお、これら三角印２５ａ〜２５ｄのそれぞれの間において「バス停」を表す印についても、発光ダイオードにより点灯可能に構成しても良い。これにより、バス停でバスが停車中である旨も、待合客に案内することが可能となる。また、これら三角印に代えて、バスの外観を模したバス形状のものでＬＥＤ表示器２５を構成しても良い。これにより、バスが走行中である旨を待合客に視覚的に理解しやすくする。
【００２９】
電子ペーパー２６は、例えば、半球ずつ白と黒に塗り分けた微小球体（表示素子）をマトリックス状に多数埋め込んだもので、これらの微小球体を電界により任意に回転させることで白地に黒い文字や線図（または黒地に白い文字や線図）を表現し得るように構成されている。また、白色と黒色の粒子を流体とともに封入したマイクロカプセル（表示素子）をマトリックス状に多数並べてカプセル中の粒子を電界により任意に移動させることで白地に黒い文字や線図（または黒地に白い文字や線図）を表現し得るように構成されるものもある。
【００３０】
電子ペーパー２６には、様々な構成や方式のものがあるが、一般に、それらの表示素子は、表示内容（表示態様）を変更する時には駆動電力を消費しても、変更後は新たに表示内容を変更しない限り駆動電力を必要としないか必要としても極めて微小な電力で足りる、という電気的な特徴を有する。そのため、文字、記号や線図による表示であっても、内容の変更頻度が低い表示をこの電子ペーパー２６により行うことで、接近表示装置１０による消費電力を低減させることが可能となる。
【００３１】
本実施形態では、例えば、図４に示すように、バスの行先案内や系統名を電子ペーパー２６によって表示可能に構成する。先の例では、バスの行先案内は「○○○車庫  行」であり、系統名は「町３５」や「町６１」である。また、図４には図示されていないが、表示スペース上可能な場合には、路線案内や経由するバス停の案内（経由停留所案内）を表示しても良い。これらの表示は、ダイヤ改正等によりバスの路線や系統名に変更があった場合に変更される情報で、普段は固定化された情報である。
【００３２】
図４においては、このようにＬＥＤ表示器２５および電子ペーパー２６により構成される案内表示が、上下方向に段違いに７箇所に設けられている（７段構成）。なお、２段目〜７段目における破線内の構成は、前述した１段目と同様に構成されている。これにより、複数の行き先や路線について、時々刻々と変化する情報をリアルタイムに待合客に提供することができる。また、これらの段数は任意である。
【００３３】
磁気反転表示器２７は、表と裏の表示内容を変えた表示板（表示素子）を電磁石を利用した回転機構によって表裏が反転するように回転させることで、表示内容を表側のものと裏側のものとに変更し得るように構成されている。この磁気反転表示器２７も、表裏を反転させる時にだけ駆動電力を消費し、反転後は新たに反転しない限り駆動電力を必要としない、という電気的な特徴を有する。そのため、予め定められた２種類の定型表示を交互に変更する表示である場合には、この磁気反転表示器２７により行うことで、接近表示装置１０による消費電力を低減させることが可能となる。
【００３４】
本実施形態では、例えば、図４に示すように、接近表示装置１０の稼動状況を磁気反転表示器２７により表示可能に構成する。図４の例では、円形状の磁気反転表示器２７により接近表示装置１０が現在稼動中である旨を示す「バス接近案内中」（例えば緑色地）を表示している。接近表示装置１０が稼動していない場合には「休止中」（例えば赤色地）が表示される。つまり、本実施形態による磁気反転表示器２７は、表側（一方側）で「バス接近案内中」、裏側（他方側）で「休止中」をそれぞれ表示可能に構成されている。
【００３５】
なお、接近表示装置１０の稼動や休止の制御は、当日の最終時刻に到着する予定のバス（いわゆる終バス）が到着または通過したことを検出することによって、もしくは表示ユニット２０に内蔵される図略の時計モジュールによる時間管理によって、自動的に自律して行われたり、またはリモート操作により手動で行われたりする。また、ソーラーパネル１２が良好に発電することが困難な天候（例えば、雨天や曇天）の日が続いた場合には、バッテリ１６の充電が表示ユニット２０を駆動するのに不十分な状態になり得るため、この場合には、電圧センサ等による電圧情報に基づいて、接近表示装置１０を休止にする。バッテリ１６自体が故障をし駆動電力を供給できない場合も、電圧情報に基づいて同様に休止となる。
【００３６】
なお、電子ペーパー２６および磁気反転表示器２７は、発光ダイオードを使用しない表示方式であり、表示内容を変更する時には駆動電力を要するが、変更後の固定表示時においては駆動電力を必要としないか微小電力で足り、発光ダイオードよりも固定表示時の消費電力が少ない非ＬＥＤ表示部の例である。また、電子ペーパー２６および磁気反転表示器２７は、表示内容（表示態様）を変更する期間内は駆動電力を消費し、変更後は駆動電力を消費しないまたはほぼ消費しない表示素子で構成されるもの、の例示でもある。
【００３７】
無線通信モジュール２８は、例えば、携帯電話会社の通信キャリアを介して無線データ通信を可能にする無線通信部で、本実施形態では、例えば、パケット通信方式でデータの送受信を行う。これにより、無線回線を常に接続したままで無線データを送受信する常時接続方式に比べ、無線通信モジュール２８の駆動電力が大幅に削減されるため、接近表示装置１０による電力消費を一層低減させることが可能となる。
【００３８】
例えば、これまでに説明したバスの接近情報を含むデータを、無線通信モジュール２８により、当該バスの運行情報を管理する情報センターから受信することで、ＬＥＤ表示器２５により表示される当バス停に停車予定のバスの情報を取得することが可能となる。バス停の接近情報を含むデータは、当バス停に停車予定のバスが走行している限り、例えば、ほぼ１分間隔で更新されて情報センターから受信する。例えば、接近表示装置１０が午前６時から午後１２時まで１８時間／日、稼動する場合には、１０００回以上データが受信されてＬＥＤ表示器２５による表示が更新される。
【００３９】
また、バスの路線や系統名の改正があった場合には、改正に係るバスの行先案内や系統名、さらには路線案内や経由停留所案内の各情報を含むデータを情報センターから受信することで、電子ペーパー２６により表示されるこれらの情報を取得することが可能となる。さらに、情報センターからリモートで、当バス停の接近表示装置１０の稼動管理をする場合には、稼動状態を制御するデータを情報センターから受信することで、磁気反転表示器２７による「バス接近案内中」や「休止中」の表示が適宜変更される。バスの路線や系統名等の改正は、一般には、多くても年数回であり、また稼動状態を制御するデータは、毎日その制御を行ったとしても、せいぜい数回／日である。
【００４０】
このように、本実施形態の場合、ＬＥＤ表示器２５による表示内容の変更回数と、電子ペーパー２６や磁気反転表示器２７による表示内容の変更回数と、の間には、大きな回数差がある。そのため、表示内容の変更が、所定の頻度として、例えば１０回／日を超えるものは、ＬＥＤ表示器２５により表示をして、１０回／日以下のもので任意の文字、記号や線図（図形）等で表現をする表示態様のものは、電子ペーパー２６により表示をして、１０回／日以下のもので表示態様が複数種類で固定化されているものは、磁気反転表示器２７で表示をするように構成する。
【００４１】
また、例えば、(1)ＬＥＤ表示器２５による単位時間当たりの平均消費電力、(2)電子ペーパー２６の表示変更時に消費される単位回数当たりの平均消費電力および(3)磁気反転表示器２７の表示変更時に消費される単位回数当たりの平均消費電力に基づいて、当バス停の接近表示装置１０における年間消費電力の割合から、ＬＥＤ表示器２５により表示する情報と、電子ペーパー２６または磁気反転表示器２７による表示する情報と、を峻別することで、当該接近表示装置１０による電力消費量を最適な値に設定することができる。
【００４２】
以上説明したように、本実施形態に係る接近表示装置１０によると、データを受信する無線通信モジュール２８と、無線通信モジュール２８により受信されたデータに基づいて所定の情報を表示可能に情報処理をするＭＰＵ２１およびメモリ２２と、ＭＰＵ２１およびメモリ２２により情報処理される所定の情報のうち、表示内容が所定の頻度を超えて変更される情報を発光ダイオードを用いて表示するＬＥＤ表示器２５と、所定の情報のうち所定の頻度以下で変更される情報を、発光ダイオードよりも固定表示時の消費電力が少ない表示素子で表示する電子ペーパー２６および磁気反転表示器２７と、を備える。
【００４３】
そして、ＭＰＵ２１およびメモリ２２により情報処理される所定の情報のうち、表示内容が所定の頻度を超えて変更される情報として、例えば、バスの接近情報をＬＥＤ表示器２５により提供し、所定の情報のうち所定の頻度以下で変更される情報として、バスの行先案内、系統名、路線案内や経由停留所案内等を電子ペーパー２６や磁気反転表示器２７により提供する。これにより、変更の頻度が低いバスの行先案内、系統名、路線案内や経由停留所案内等の各情報は、電子ペーパー２６や磁気反転表示器２７により表示されるため、これらの情報を発光ダイオードを用いたＬＥＤ表示器２５で表示する構成に比べて、駆動電力の消費を各段に低減させることが可能となる。したがって、比較的小型のソーラーパネル１２により発電された電力だけで駆動する構成であっても、動的に変化し得る情報を提供することができる。
【００４４】
なお、上述した実施形態では、ＬＥＤ表示器２５および電子ペーパー２６により構成される案内表示単位を７段で構成したが、１段以上であれば２段〜６段で構成しても良い。また、磁気反転表示器２７による表示を、「バス接近案内中」と「休止中」との組み合わせにしたが、例えば、「稼働中」と「故障中」や、「運行中」と「終了」等の組み合わせにしても良い。
【００４５】
また、上述した実施形態では、非ＬＥＤ表示器の例として、表裏で２種類の表示内容を表現可能な磁気反転表示器２７を用いたが、例えば、三角柱の各面を表示面として構成される磁気反転表示器を用いて、３種類の表示内容（例えば、「バス接近案内中」、「休止中」および「故障中」）を表現可能に構成しても良し、四角柱の各面を表示面として構成される磁気反転表示器を用いて、４種類の表示内容を表現可能に構成しても良い。
【００４６】
さらに、上述した実施形態では、表示ユニット２０は、バッテリ１６から直接、駆動電力の供給を受ける構成を採ったが、例えば、表示ユニット２０が充電制御ユニット１４を介して駆動電力の供給を受ける構成を採っても良い。この場合、充電制御ユニット１４と表示ユニット２０との間において、充電や放電に関する制御情報の授受が行われ得るように構成しても良い。
【００４７】
さらにまた、上述した実施形態では、バス停に設置される接近表示装置１０を例示して説明したが、本発明の適用はこれに限られることはなく、乗合車両の停留所に設置される情報表示装置であれば、例えば、路面電車、トロリーバスやワンマン運行方式の鉄道等の乗合車両の停留所に設置される情報表示装置にも適用することができ、これらの場合においてもバスの接近表示装置１０に適用したときと同様の作用・効果を得ることができる。
【符号の説明】
【００４８】
１０…接近表示装置（停留所の情報提供装置）
１１…本体
１２…ソーラーパネル（太陽電池）
１６…バッテリ（蓄電池）
２０…表示ユニット
２１…ＭＰＵ（情報処理部）
２２…メモリ（情報処理部）
２５…ＬＥＤ表示器（ＬＥＤ表示部）
２６…電子ペーパー（非ＬＥＤ表示部）
２７…磁気反転表示器（非ＬＥＤ表示部）
２８…無線通信モジュール（無線通信部）
【図１】
2014010533.tif 000003
【図２】
2014010533.tif 000004
【図３】
2014010533.tif 000005
【図４】
2014010533.tif 000006
【手続補正書】
【提出日】平成24年8月30日(2012.8.30)
【手続補正１】
【補正対象書類名】明細書
【補正対象項目名】００１２
【補正方法】変更
【補正の内容】
【００１２】
これにより、変更の頻度が低い情報は、専ら非ＬＥＤ表示部により表示されて待合客に提供されるので、これらの情報を発光ダイオードを用いたＬＥＤ表示部で表示する構成に比べて、駆動電力の消費を各段に低減させることが可能となる。特に、非ＬＥＤ表示部を、表示態様の変更後は駆動電力を消費しないまたはほぼ消費しない表示素子で構成する場合には、その効果が極めて大きい。したがって、比較的小型の太陽電池により発電された電力だけで駆動する構成であっても、動的に変化し得る情報を提供することができる。
【手続補正２】
【補正対象書類名】明細書
【補正対象項目名】００１７
【補正方法】変更
【補正の内容】
【００１７】
案内情報パネル１３は、その最上段に当バス停の名称を明示する表示範囲が設けられている。例えば、本実施形態では、図１から、当バス停が「○○○団地」という名称であることがわかる。このバス停の名称表示は印刷やペイントによるものである。この名称の下段には、接近表示装置１０の稼動状況を明示する表示範囲、さらにその下には、バスの接近情報を明示する表示範囲が各系統ごとに複数設けられている。これらの表示には、ＬＥＤ表示器２５、電子ペーパー２６や磁気反転表示器２７が用いられており、案内情報パネル１３の内側（本体１１の上方内部）に収納される表示ユニット２０によって表示制御が行われている。なお、表示ユニット２０や表示制御等については、図３を参照して後述する。
【手続補正３】
【補正対象書類名】明細書
【補正対象項目名】００２０
【補正方法】変更
【補正の内容】
【００２０】
ソーラーパネル１２は、太陽光等の光を電気エネルギーに変換する太陽電池で、本実施形態では、接近表示装置１０の設置状態において、本体１１の上面に支柱１８を介して固定可能に設けられている。ソーラーパネル１２の発電容量は、例えば、２０Ｗ／ｈに設定されている。なお、ソーラーパネル１２から突出する５本の棒形状のものは、無線通信モジュール２８（図３参照）に接続される無線通信用のアンテナ２９である。
【手続補正４】
【補正対象書類名】明細書
【補正対象項目名】００４５
【補正方法】変更
【補正の内容】
【００４５】
また、上述した実施形態では、非ＬＥＤ表示器の例として、表裏で２種類の表示内容を表現可能な磁気反転表示器２７を用いたが、例えば、三角柱の各面を表示面として構成される磁気反転表示器を用いて、３種類の表示内容（例えば、「バス接近案内中」、「休止中」および「故障中」）を表現可能に構成しても良いし、四角柱の各面を表示面として構成される磁気反転表示器を用いて、４種類の表示内容を表現可能に構成しても良い。